(57)【要約】【課題】  ダイヤル操作子に対する子供の悪戯に対して、悪戯対処手段を有効に機能させ得るようにする。【解決手段】  子供が悪戯で操作しやすいダイヤル操作子の操作による入力が基準値以上あったときに、子供がダイヤル操作子を悪戯で操作したと判断し、少なくとも蓋の閉鎖拘束又は槽内からの排水をする悪戯対処手段を作動させる（Ｓ１５、Ｓ１６）ことで、悪戯対処手段を有効に機能させるようにした。【選択図】  図１
2007082778.tif 000002
【特許請求の範囲】
【請求項１】
子供の悪戯に対して少なくとも蓋の閉鎖拘束又は槽内からの排水をする悪戯対処手段を具えると共に、運転に関する操作がダイヤル操作子にて行われ、このダイヤル操作子の操作による入力を受けて運転を制御する制御手段を有するものにおいて、
前記制御手段が、前記ダイヤル操作子の操作による入力が基準値以上あったときに前記悪戯対処手段を作動させるようにしたことを特徴とする洗濯機。
【請求項２】
制御手段が、悪戯対処手段を作動させた後は、その作動を停止させる操作以外の操作入力を受け付けないようにしたことを特徴とする請求項１記載の洗濯機。
【請求項３】
危険の報知をする報知手段を具え、制御手段が、悪戯対処手段を作動させた後、ダイヤル操作子の操作による入力があったときに、前記報知手段を作動させるようにしたことを特徴とする請求項１記載の洗濯機。
【請求項４】
制御手段が悪戯対処手段を作動させるに至るダイヤル操作子の操作入力基準値を変更可能としたことを特徴とする請求項１記載の洗濯機。
【請求項５】
ダイヤル操作子の操作に応じて音を出す音出し手段を具え、制御手段が、悪戯対処手段を作動させるに至った回数が所定回数以上となったときに前記音出し手段を作動させないようにしたことを特徴とする請求項１記載の洗濯機。
【発明の詳細な説明】
【技術分野】
【０００１】
本発明は、悪戯対処手段を具えた洗濯機に関する。
【背景技術】
【０００２】
従来より、悪戯対処手段を具えた洗濯機が供されている。このものは、子供が悪戯で蓋を開ける可能性があるのに対して、使用者（親）が設定操作をすることで、蓋が閉鎖拘束され、すなわち、蓋を開けることができないようにするものであり、又、それとは異なるものとして、蓋が開けられると、槽内からの排水をし、それによって、子供が万一槽内に落下したとしても、おぼれることのないようにしたものである（例えば特許文献１参照）。
【０００３】
一方、洗濯機の運転に関する操作については、それをダイヤル操作子で行うようにしたものが供されている（例えば特許文献２参照）。
【特許文献１】特開平１１−２２６２９１号公報
【特許文献２】特開平７−７５６９７号公報
【発明の開示】
【発明が解決しようとする課題】
【０００４】
洗濯機の運転に関する操作をダイヤル操作子で行うようにしたものでは、そのダイヤル操作子が使用者の操作を受けるために操作パネル表面より突出しており、もしくは出没可能となっている。このため、突出したダイヤル操作子に子供が触れやすく、悪戯操作をしやすい。
これに対して、上記従来の悪戯対処手段は、使用者（親）が設定操作をすることで機能するものであり、又は蓋を開けられたときに機能するもので、上述のダイヤル操作子に対する子供の悪戯に対して、有効なものではなかった。
【０００５】
本発明は上述の事情に鑑みてなされたものであり、従ってその目的は、ダイヤル操作子に対する子供の悪戯に対して、悪戯対処手段を有効に機能させ得る洗濯機を提供するにある。
【課題を解決するための手段】
【０００６】
上記目的を達成するために、本発明の洗濯機においては、子供の悪戯に対して少なくとも蓋の閉鎖拘束又は槽内からの排水をする悪戯対処手段を具えると共に、運転に関する操作がダイヤル操作子にて行われ、このダイヤル操作子の操作による入力を受けて運転を制御する制御手段を有するものにおいて、前記制御手段が、前記ダイヤル操作子の操作による入力が基準値以上あったときに前記悪戯対処手段を作動させるようにしたことを特徴とする（請求項１の発明）。
【発明の効果】
【０００７】
上記手段によれば、ダイヤル操作子の操作による入力が基準値以上あったときに、子供がダイヤル操作子を悪戯で操作したと判断し、悪戯対処手段を作動させることで、悪戯対処手段を有効に機能させることができる。
【発明を実施するための最良の形態】
【０００８】
以下、本発明の第１実施例（第１の実施形態）につき、図１ないし図５を参照して説明する。
まず、図３には、洗濯機を上方より斜視して示しており、外箱１の最上部にトップカバー２を装着している。外箱１の内部には外槽３と内槽４とを配設しており、内槽４内には底部に撹拌体５を配設している。
【０００９】
トップカバー２は、内槽４に対して洗濯物を出し入れするための開口部６を中央部の一帯に有しており、この開口部６を、後蓋部７ａと前蓋部７ｂから成る二つ折りの蓋７により開閉するようにしている。蓋７は、前蓋部７ｂに開放操作用の手掛け部８を有している。又、蓋７の内側（図３では前側）では、外槽３の上面の開口部を内蓋９により開閉するようにしている。
【００１０】
更に、図４に示すように、蓋７は、前蓋部７ｂの下面部（裏面部）に被係止部１０を有しており、これに対して、トップカバー２は、前記開口部６の前側縁部に電磁石１１を内設し、この電磁石１１が突出させる拘束子１２により被係止部１０を係止して、蓋７を閉鎖状態に拘束するようにしている。従って、それら被係止部１０、電磁石１１、及び拘束子１２は、蓋７を閉鎖拘束する拘束装置１３を構成するものである。
【００１１】
トップカバー２の後部にはバックカバー１４を設けており、前部に操作パネル１５を設けている。操作パネル１５は、詳細には図５に示すように、表示部１６を有すると共に、この表示部１６の右側部から下側部にかけて操作キー１７〜２６及びダイヤル操作子２７〜２９を有している。
【００１２】
このうち、操作キー１７は電源の入り操作をするためのもの、操作キー１８は電源の切り操作をするためのもの、操作キー１９は運転のスタート又は一時停止の操作をするためのもの、操作キー２０は運転の終了時間を予約するためのもの、操作キー２１は脱水行程の実行時間を設定するためのもの、操作キー２２はすすぎ行程の実行回数を設定するためのもの、操作キー２３は洗い行程の実行時間を設定するためのもの、操作キー２４は前記外槽３及び内槽４を洗浄するコースを設定するためのもの、操作キー２５は洗濯（洗い、すすぎ）を図示しない吸水ポンプで風呂水を供給して行う選択をするためのもの、操作キー２６は洗濯時の水位を設定するためのもので、いずれも平坦状を成している。
【００１３】
これに対して、ダイヤル操作子２７〜２９は運転コースの選択をするためのもので、詳細には、ダイヤル操作子２７が「標準」、「アイロン」・・・とある乾燥のコースの選択をするためのもの、ダイヤル操作子２８が「標準」、「つけおき」、「スピーディ」・・・とある洗濯と上記乾燥の両コースの選択をするためのもの、ダイヤル操作子２９が上記洗濯のコースの選択をするためのもので、いずれも短円柱状を成して、操作パネル１５上に突出し、子供の悪戯操作を受けやすくなっている（図３参照）。
【００１４】
なお、表示部１６は、上記操作キー２０〜２６及びダイヤル操作子２７〜２９の操作内容を表示するもので、そのそれぞれに対応して存在するが、詳細な説明は本発明と直接関係しないので割愛する。
【００１５】
以上に対して、図６には、洗濯機の運転全般を制御する制御手段たる制御装置３０を示しており、例えばマイクロコンピュータから成っている。この制御装置３０には、商用電源Ｅから直流電源回路３１を介して直流電源が供給されるようにしており、そのほか、上記操作パネル１５の操作キー１７〜２６及びダイヤル操作子２７〜２９に応動する各種スイッチ（図示せず）より成るスイッチ入力部３２から各種スイッチ信号が入力されると共に、前記内槽４を回転駆動する下記モータの回転、ひいては内槽４の回転を検知する回転センサ３３から回転検知信号が入力され、内槽４の貯水水位でもある前記外槽３の貯水水位を検知する水位センサ３４から水位検知信号が入力されるようにしている。
【００１６】
そして、制御装置３０は、それらの入力並びにあらかじめ記憶された制御プログラムに基づいて、前記表示部１６を制御すると共に、報知手段であると共に音出し手段である電子ブザー３５と、前記拘束装置１３の電磁石１１、前記内槽４内（外槽３内）に給水するように設けた給水弁３６、内槽４を回転駆動するように設けたモータ３７、外槽３内（内槽４内）から排水するように設けた排水弁３８を、駆動回路３９を介して制御するようにしている。
更に又、制御装置３０は、記憶手段である不揮発性メモリ４０との間で、各種記憶内容の授受を行うようにもしている。
【００１７】
次に、上記構成のものの作用を述べる。
図２及び図１は、ダイヤル操作子２９の悪戯操作に対する制御装置３０の制御内容を示しており、電源が供給されると、制御装置３０は図２に示すように作動を開始し（スタート）、最初に、不揮発性メモリ４０に記憶された内容から、後述する悪戯対処手段を作動させた回数（悪戯対処回数）と、悪戯対処手段を作動させるに至るダイヤル操作子２７〜２９の操作入力基準値（悪戯対処決定値であり、この場合、回数）、並びに操作キー１７〜２６及びダイヤル操作子２７〜２９を操作したときの音の出の有無（操作音設定）についての設定内容を読み出す（ステップＳ１）。なお、操作キー１７〜２６及びダイヤル操作子２７〜２９を操作したときの音は、電子ブザー３５がそれらの操作に応じて操作ごとに１回ずつ出すようになっている。
【００１８】
次いで、上記操作音設定について、その操作音が出ないようにされた設定が解除されたモードになっているか否かの判断をする（ステップＳ２）。この操作音が出ないようにされた設定の解除は、例えば操作キー（脱水キー）２１を押しながら操作キー（スタートキー）１９を押し、更に操作キー（電源入りキー）１７を押すことでなされ、操作音操作音が出ないようにする設定も、同じ操作でなされる。
【００１９】
上記ステップＳ２でＹＥＳと判断されれば、操作音が出るように設定してそれを記憶すること（ステップＳ３）を行い、その後に、チャイルドロックの設定がなされているか否かの判断をする（ステップＳ４）。又、ステップＳ２でＮＯと判断されれば、直ちにステップＳ４に進む。チャイルドロックの設定は、ダイヤル操作子２７〜２９の操作とは別に、子供が蓋７を開けることを避けるためにするもので、例えば操作キー（予約キー）２０を押しながら、操作キー（スタートキー）１９を押すことでなされる。
【００２０】
ステップＳ４でＹＥＳと判断されれば、拘束装置１３を作動させて蓋７を閉鎖拘束（蓋ロック）し（ステップＳ５）、次いで、操作キー（スタートキー）１９が操作されたか否かの判断をする（ステップＳ６）。
【００２１】
又、ステップＳ４でＮＯと判断されれば、前記悪戯対処回数が所定回数（例えば１０回）に達したか否かの判断をし（ステップＳ７）、このステップＳ７でＹＥＳと判断されれば、前記ステップ２と同じ、操作音が出ないようにされた設定が解除されたモードになっているか否かの判断をする（ステップＳ８）。
そして、ステップＳ８でＮＯと判断されれば、操作音操作音が出ないように設定し（ステップＳ９）、その後にステップＳ６に進む。又、ステップＳ７でＮＯ、ステップＳ８でＹＥＳと判断されれば、それぞれ、直ちにステップＳ６に進む。
【００２２】
ステップＳ６でＮＯと判断されれば、このステップＳ６を繰り返すが、ＹＥＳと判断されれば、図１に示すように、前記チャイルドロックの設定がされていないか否かの判断をし（ステップＳ１０）、このステップＳ１０でＮＯと判断されれば、このステップＳ１０を繰り返すが、ＹＥＳと判断されれば、ダイヤル操作子２７〜２９の操作があったか否かの判断をする（ステップＳ１１）。
【００２３】
上記ステップＳ１１でＮＯと判断されれば、ステップＳ１０に戻るが、ＹＥＳと判断されれば、ダイヤル操作子２７〜２９の操作が前回のダイヤル操作子２７〜２９の操作から所定時間（例えば２秒）以内の操作であるか否かの判断をする（ステップＳ１２）。そして、このステップＳ１２でＮＯと判断されれば、ダイヤル操作子２７〜２９の操作回数のカウント値をクリアして（ステップＳ１３）、ステップＳ１０に戻るが、ＹＥＳと判断されれば、ダイヤル操作子２７〜２９の操作回数をカウントする（ステップＳ１４）。
【００２４】
その後、上記ステップＳ１４でのカウント結果から、そのカウント値が前記悪戯対処決定値（悪戯対処手段を作動させるに至るダイヤル操作子２７〜２９の操作入力基準値であり、例えば５０回）に達したか否かの判断をし（ステップＳ１５）、ここでＮＯと判断されれば、ステップＳ１０に戻るが、ＹＥＳと判断されれば、悪戯対処手段を作動させると共に、ダイヤル操作子２７〜２９の操作回数のカウント値をクリアする（ステップＳ１６）。悪戯対処手段は、この場合、前記拘束装置１３であり、従って、ステップＳ１５では、拘束装置１３を作動させることにより蓋７を閉鎖拘束する。
【００２５】
この後、ダイヤル操作子２７〜２９が更に操作されたか否かの判断をし（ステップＳ１７）、ここでＮＯと判断されれば、ダイヤル操作子２７〜２９の更なる（ステップＳ１６以後の）操作回数のカウント値をクリアして（ステップＳ１８）、ステップＳ１６に戻るが、ＹＥＳと判断されれば、ダイヤル操作子２７〜２９の更なる操作回数をカウントする（ステップＳ１９）。
【００２６】
その後、上記ステップＳ１９でのカウント結果から、そのカウント値が所定値（例えば３０回）に達したか否かの判断をし（ステップＳ２０）、ここでＹＥＳと判断されれば、電子ブザー３５を危険報知モードで作動させて危険の報知をする（ステップＳ２１）。そして、更にその後、チャイルドロック設定の解除操作がなされたか否か、すなわち、悪戯対処手段の作動を停止させる操作がなされたか否かの判断をする（ステップＳ２２）。チャイルドロック設定の解除は、設定の操作と同じく例えば操作キー（予約キー）２０を押しながら、操作キー（スタートキー）１９を押すことでなされる。
【００２７】
又、前記ステップＳ２０でＮＯと判断されれば、直ちにステップＳ２２に進む。そして、そのステップＳ２２でＮＯと判断されれば、ステップＳ１６に戻り、ＹＥＳと判断されれば、前記拘束装置１３の作動停止（蓋７の閉鎖拘束解除）と、上記電子ブザー３５の危険報知モード作動の停止を行って（ステップＳ２３）、ステップＳ１０に戻る。
そして、電源の供給が断たれると、以上の作動を停止し、再度の電源の供給で初期の作動（スタート）から開始する。
【００２８】
このように本構成のものでは、ダイヤル操作子２７〜２９の操作による入力が基準値以上あったときに悪戯対処手段を作動させるようにしており（ステップＳ１５、Ｓ１６）、
要するに、ダイヤル操作子２７〜２９の操作による入力が基準値以上あったときに、子供がダイヤル操作子２７〜２９を悪戯で操作したと判断し、悪戯対処手段を作動させるようにしている。これにより、ダイヤル操作子２７〜２９に対する子供の悪戯に対して、悪戯対処手段を有効に機能させることができ、安全性を向上できる。
【００２９】
加えて、本構成のものの場合、悪戯対処手段を作動させた後は、その作動を停止させる操作以外の操作入力を受け付けないよう（ステップＳ２２からＳ１６への繰り返し）にしている。これにより、悪戯対処手段の作動後、なおも子供がダイヤル操作子２７〜２９のほか操作キー１７〜２６に対する悪戯を続けても、悪戯対処手段の作動が解除されることはなく、安全性を一層向上できる。
【００３０】
又、悪戯対処手段を作動させた後、なおもダイヤル操作子２７〜２９の操作による入力があれば、電子ブザー３５を危険報知モードで作動させて危険の報知をするようにしている（ステップＳ１７〜Ｓ２１）。これにより、悪戯対処手段の作動後、なおも子供がダイヤル操作子２７〜２９悪戯操作し続けるのに対して、それを親に知らせ、悪戯を止めさせることができる。
【００３１】
更に、悪戯対処決定値（悪戯対処手段を作動させるに至るダイヤル操作子２７〜２９の操作入力基準値）は、不揮発性メモリ４０に記憶しており、制御装置３０はその不揮発性メモリ４０との間で各種記憶内容の授受を行い得るようになっていて、要するに、上記悪戯対処決定値を変更することを可能としている。
【００３２】
その操作は、例えば操作キー（予約キー）２０と操作キー（スタートキー）１９とを押しながら操作キー（電源入りキー）１７を押すことで、悪戯対処決定値変更モードにし、その上で、操作キー（洗いキー）２３を１回押せば、悪戯対処決定値が５回減じられ、２回続けて押せば、悪戯対処決定値が１０回減じられるというものであり、一方、操作キー２３に代えて、操作キー（すすぎキー）２２を１回押せば、悪戯対処決定値が５回足され、２回続けて押せば、悪戯対処決定値が１０回足されるというものである。
【００３３】
これにより、使用者（親）の意思に沿った条件で悪戯対処手段を作動させることができるようになり、使い勝手の向上又は安全性の一層向上ができる。
なお、この場合、変更した悪戯対処決定値は不揮発性メモリ４０に記憶させることができるので、待機電力がなくても、次回の運転では変更した悪戯対処決定値で使用ができる。
【００３４】
そして、悪戯対処手段を作動させるに至った回数が所定回数以上となったときには、ダイヤル操作子２７〜２９の操作に応じて音を出す音出し手段である電子ブザー３５を作動させないようにしている（ステップＳ７〜Ｓ９）。これにより、子供がダイヤル操作子２７〜２９の操作に興味を示さないようにできて、安全性の一層向上ができる。
【００３５】
更に、上述のダイヤル操作子２７〜２９の操作に対する電子ブザー３５の非作動設定については、それを解除できるようにしている（ステップＳ１〜Ｓ３）。これにより、ダイヤル操作子２７〜２９の操作に対する電子ブザー３５の作動復帰設定が容易にでき、特に聴覚に難のある人の使い勝手を良好に確保できる。
【００３６】
以上に対して、図７及び図８は本発明の第２実施例（第２の実施形態）を示すもので、第１実施例と同一の部分には同一の符号を付して説明を省略し、異なる部分についてのみ述べる。
このものの場合、ダイヤル操作子２９の悪戯操作に対する制御装置３０の制御内容について、前記ステップＳ１に代わるステップＳ１０１では、不揮発性メモリ４０に記憶された内容から読み出す悪戯対処決定値を、前述の回数に代えて、時間としている。
【００３７】
その時間（悪戯対処決定値）も変更が可能で、その操作は、前述同様に、例えば操作キー（予約キー）２０と操作キー（スタートキー）１９とを押しながら操作キー（電源入りキー）１７を押すことで、悪戯対処決定値変更モードにし、その上で、操作キー（洗いキー）２３を１回押せば、悪戯対処決定値が５秒減じられ、２回続けて押せば、悪戯対処決定値が１０秒減じられるというものであり、一方、操作キー２３に代えて、操作キー（すすぎキー）２２を１回押せば、悪戯対処決定値が５秒足され、２回続けて押せば、悪戯対処決定値が１０秒足されるというものである。
【００３８】
又、前記ステップＳ１３に代わるステップＳ１１３では、ダイヤル操作子２７〜２９の操作回数のカウント値をクリアしたのに代えて、ダイヤル操作子２７〜２９の操作時間のカウント値をクリアするようにしており、前記ステップＳ１４に代わるステップＳ１１４では、ダイヤル操作子２７〜２９の操作回数をカウントしたのに代えて、ダイヤル操作子２７〜２９の操作時間をカウントするようにしている。
【００３９】
更に、前記ステップＳ１５に代わるステップＳ１１５では、前記ステップＳ１４でのカウント値が前記悪戯対処決定値（例えば５０回）に達したか否かの判断をしたのに代えて、上記ステップＳ１１４でのカウント値がこの場合の悪戯対処決定値（例えば２０秒）に達したか否かの判断をするようにしている。
【００４０】
そのほか、前記ステップＳ１６に代わるステップＳ１１６では、ダイヤル操作子２７〜２９の操作回数のカウント値をクリアしたのに代えて、ダイヤル操作子２７〜２９の操作時間のカウント値をクリアするようにしており、前記ステップＳ１８に代わるステップＳ１１８では、ダイヤル操作子２７〜２９の更なる（ステップＳ１６以後の）操作回数のカウント値をクリアしたのに代えて、ダイヤル操作子２７〜２９の更なる（ステップＳ１６以後の）操作時間のカウント値をクリアするようにしている。
【００４１】
そして、前記ステップＳ１９に代わるステップＳ１１９では、ダイヤル操作子２７〜２９の更なる操作回数をカウントしたのに代えて、ダイヤル操作子２７〜２９の更なる操作時間をカウントするようにしており、前記ステップＳ２０に代わるステップＳ１２０では、ステップＳ１９でのカウント値が所定値（例えば３０回）に達したか否かの判断をしたのに代えて、ステップＳ１１９でのカウント値が所定値（例えば１０秒）に達したか否かの判断をするようにしている。
【００４２】
要するに、このものの場合には、悪戯対処決定値を具体的には時間とし、悪戯対処手段を作動させた後のダイヤル操作子２７〜２９の操作についてのチェックも時間で行うようにしているのであり、このようにしても、前述同様の作用効果を得ることができる。
【００４３】
なお、悪戯対処手段は、蓋７の閉鎖拘束をするもの（拘束装置１３）に代えて、槽内からの排水をするもの（排水弁３８）としても良く、あるいはその両方をするものであっても良いし、更にそのほかの対処をするものと合わせたものであっても良い。
そのほか、本発明は上記し且つ図面に示した実施例にのみ限定されるものではなく、要旨を逸脱しない範囲内で適宜変更して実施し得る。
【図面の簡単な説明】
【００４４】
【図１】本発明の第１実施例を示す作用説明のためのフローチャートその２
【図２】同フローチャートその１
【図３】洗濯機全体の開蓋状態の斜視図
【図４】洗濯機全体の閉蓋状態の平面図
【図５】操作パネルの平面図
【図６】電気的構成のブロック図
【図７】本発明の第２実施例を示す図２相当図
【図８】同第２実施例の図１相当図
【符号の説明】
【００４５】
図面中、３は外槽、４は内槽、７は蓋、１３は拘束装置（悪戯対処手段）、２７〜２９はダイヤル操作子、３０は制御装置（制御手段）、３５は電子ブザー（報知手段、音出し手段）、３８は排水弁（悪戯対処手段）を示す。
【図１】
2007082778.tif 000003
【図２】
2007082778.tif 000004
【図３】
2007082778.tif 000005
【図４】
2007082778.tif 000006
【図５】
2007082778.tif 000007
【図６】
2007082778.tif 000008
【図７】
2007082778.tif 000009
【図８】
2007082778.tif 000010